(57)【要約】【課題】立体視用の複数の画像（右目用画像および左目用画像）を高い解像度で表示する。【解決手段】照明装置１０と液晶装置２０とは相互に視差を有する各画像を立体視可能に表示する。駆動装置５０は、各単色画像の表示色の順番が単位期間Ｆごとに相違するように、相互に視差を有する右目用画像および左目用画像の各々を構成する複数の色成分の単色画像を各単位期間ＦのサブフィールドＳFにおいて順次に照明装置１０および液晶装置２０に表示させる。【選択図】図１
2008268397.tif 000002
【特許請求の範囲】
【請求項１】
相互に視差を有する各画像を立体視可能に表示する表示手段と、
相互に視差を有する第１画像および第２画像の各々を構成する複数の色成分の単色画像を各単位期間内で順次に前記表示手段に表示させる手段であって、前記表示手段に表示される色成分の順番を第１の単位期間と当該第１の単位期間とは相違する第２の単位期間とで変化させる駆動手段と
を具備する表示装置。
【請求項２】
前記駆動手段は、前記単位期間内で連続する第１期間にて前記第１画像を構成する複数の色成分の単色画像を順次に表示させ、前記単位期間内で連続する第２期間にて前記第２画像を構成する複数の色成分の単色画像を順次に表示させる
請求項１の表示装置。
【請求項３】
前記駆動手段は、前記第１画像を構成する複数の色成分の単色画像と前記第２画像を構成する複数の色成分の単色画像とを前記単位期間内で交互に表示させる
請求項１の表示装置。
【請求項４】
前記表示手段は、
前記複数の色成分の各々の単色光を第１方向と当該第１方向とは相違する第２方向とに選択的に出射する照明装置と、
前記照明装置からの出射光に対する透過率を画素ごとに制御する表示体と
を含み、
前記駆動手段は、
前記第１画像の各色成分の単色画像を表示する期間では当該色成分に対応した単色光を前記照明装置から前記第１方向に出射させるとともに当該単色画像の階調に応じて前記表示体の各画素の透過率を制御し、前記第２画像の各色成分の単色画像を表示する期間では当該色成分に対応した単色光を前記照明装置から前記第２方向に出射させるとともに当該単色画像の階調に応じて前記表示体の各画素の透過率を制御する
請求項１から請求項３の何れかの表示装置。
【請求項５】
前記第１画像および前記第２画像の各々について複数の原色成分の階調を画素ごとに指定する入力画像信号から、白色成分と２種類の原色成分の混色成分との少なくともひとつを含む前記複数の色成分について階調を指定する分離画像信号を生成する画像処理手段を具備し、
前記駆動手段は、前記第１画像および前記第２画像の各々を構成する前記複数の色成分の単色画像を前記分離画像信号に基づいて前記表示手段に表示させる
請求項１から請求項４の何れかの表示装置。
【請求項６】
請求項１から請求項５の何れかの表示装置を具備する電子機器。
【請求項７】
相互に視差を有する各画像を立体視可能に表示する表示装置を駆動する方法であって、
相互に視差を有する第１画像および第２画像の各々を構成する複数の色成分の単色画像を各単位期間内で順次に前記表示装置に表示させる一方、
前記表示装置に表示される色成分の順番を第１の単位期間と当該第１の単位期間とは相違する第２の単位期間とで変化させる
表示装置の駆動方法。
【発明の詳細な説明】
【技術分野】
【０００１】
本発明は、画像の立体感を観察者に知覚させる技術に関する。
【背景技術】
【０００２】
相互に視差を有する２種類の画像の一方（以下「左目用画像」という）を左目に視認させるとともに他方（以下「右目用画像」という）を右目に視認させると、観察者に画像の立体感を知覚させることができる。左目用画像および右目用画像を観察者の左目と右目とに個別に知覚させるための様々な方法が従来から提案されている。例えば特許文献１には、表示装置の前面側にパララックスバリアを配置した構成が開示されている。
【特許文献１】特開２００３−２５９３９５号公報
【発明の開示】
【発明が解決しようとする課題】
【０００３】
しかし、パララックスバリアを利用した構成においては、表示装置の全部の画素が、左目用画像を表示する画素と右目用画像を表示する画素とに区分されるため、観察者の知覚する画像の実質的な解像度が低下するという問題がある。以上の事情に鑑みて、本発明は、立体視用の複数の画像（右目用画像および左目用画像）を高い解像度で表示するという課題の解決をひとつの目的としている。
【課題を解決するための手段】
【０００４】
以上の課題を解決するために、本発明に係る表示装置は、相互に視差を有する各画像を立体視可能に表示する表示手段（例えば図１の照明装置１０と液晶装置２０）と、相互に視差を有する第１画像および第２画像の各々を構成する複数の色成分の単色画像を各単位期間内で順次に表示手段に表示させる手段であって、表示手段に表示される色成分の順番を第１の単位期間（例えば図３や図４や図７における単位期間Ｆ1）と当該第１の単位期間とは相違する第２の単位期間（例えば図３や図４や図７における単位期間Ｆ2）とで変化させる駆動手段とを具備する。本発明に係る表示装置は各種の電子機器に搭載され得る。
【０００５】
以上の態様によれば、第１画像の各単色画像と第２画像の各単色画像とが時分割で順次に表示されるから、液晶装置の前面にパララックスバリアを配置する構成と比較して、観察者が知覚する画像の解像度を高めることが可能である。しかも、各単色画像の表示色の順番が第１の単位期間と第２の単位期間とで相違するから、観察者が知覚する色割れが低減されるという利点もある。
【０００６】
本発明に係る表示装置の第１の態様において、駆動手段は、単位期間内で連続する第１期間（例えば図３の期間ＦR）にて第１画像を構成する複数の色成分の単色画像を順次に表示させ、単位期間内で連続する第２期間（例えば図３の期間ＦL）にて第２画像を構成する複数の色成分の単色画像を順次に表示させる。また、第２の態様において、駆動手段は、第１画像を構成する複数の色成分の単色画像と第２画像を構成する複数の色成分の単色画像とを単位期間内で交互に表示させる。第２の態様によれば、第１画像の各単色画像と第２画像の各単色画像とが交互に表示されるから、第１の態様に係る表示装置と比較して、観察者がフリッカを知覚し難いという利点がある。
【０００７】
本発明に係る表示装置の好適な態様において、表示手段は、複数の色成分の各々の単色光を第１方向と当該第１方向とは相違する第２方向とに選択的に出射する照明装置と、照明装置からの出射光に対する透過率を画素ごとに制御する表示体とを含み、駆動手段は、第１画像の各色成分の単色画像を表示する期間では当該色成分に対応した単色光を照明装置から第１方向に出射させるとともに当該単色画像の階調に応じて表示体の各画素の透過率を制御し、第２画像の各色成分の単色画像を表示する期間では当該色成分に対応した単色光を照明装置から第２方向に出射させるとともに当該単色画像の階調に応じて表示体の各画素の透過率を制御する。以上の態様によれば、第１画像の表示のための各単色光と第２画像の表示のための各単色光とが別方向に出射するから、裸眼による立体視が可能である。
【０００８】
本発明の好適な態様に係る表示装置は、第１画像および第２画像の各々について複数の原色成分の階調を画素ごとに指定する入力画像信号から、白色成分と２種類の原色成分の混色成分との少なくともひとつを含む複数の色成分について階調を指定する分離画像信号を生成する画像処理手段を具備し、駆動手段は、第１画像および第２画像の各々を構成する複数の色成分の単色画像を分離画像信号に基づいて表示手段に表示させる。以上の態様によれば、原色成分以外の色成分（混色成分や白色成分）の単色画像が表示されるから、原色成分の単色画像のみを表示する構成と比較して色割れを抑制することが可能である。
【０００９】
本発明は、表示装置を駆動する方法としても特定される。本発明に係る駆動方法は、相互に視差を有する各画像を立体視可能に表示する表示装置を駆動する方法であって、相互に視差を有する第１画像および第２画像の各々を構成する複数の色成分の単色画像を各単位期間内で順次に表示装置に表示させる一方、表示装置に表示される色成分の順番を第１の単位期間と当該第１の単位期間とは相違する第２の単位期間とで変化させる。以上の駆動方法によっても本発明の表示装置と同様の効果が奏される。
【発明を実施するための最良の形態】
【００１０】
＜Ａ：第１実施形態＞
図１は、本発明の第１実施形態に係る表示装置の構成を示すブロック図である。同図に示すように、表示装置１００は、照明装置１０と液晶装置２０と駆動装置５０とを具備する。照明装置１０は、液晶装置２０の背面側に設置されて表示装置１００を照明する。
【００１１】
液晶装置２０は、相互に対向する第１基板２１と第２基板２２とを具備する。第１基板２１と第２基板２２との間隙には液晶（図示略）が封止される。ＯＣＢ（Optically Compensated Bend）モードなど高速に応答する液晶が好適に採用される。第２基板２２のうち液晶との対向面には、画像の各画素に対応する複数の画素電極２４が、相互に交差するＸ方向およびＹ方向にわたって行列状に配列する。第１基板２１と第２基板２２とで挟持された液晶は、各画素電極２４と第１基板２１の表面の対向電極（図示略）との電位差に応じて配向が変化する。したがって、照明装置１０からの出射光のうち観察側に透過する光量の割合（透過率）は画素電極２４ごとに制御される。液晶装置２０内に着色層（カラーフィルタ）は形成されない。
【００１２】
図２は、照明装置１０の構成を示す平面図および側面図である。同図に示すように、照明装置１０は、光源１２と導光体１４と液晶シャッタ１６と光学体１８とで構成される。なお、図１においては液晶シャッタ１６や光学体１８の図示が省略されている。
【００１３】
導光体１４は、液晶装置２０の第２基板２２に対向する矩形状の板材である。光源１２は、導光体１４の側面に対向するように配置されて当該側面を照明する。光源１２は、各々が別色に対応した単色光を出射する複数の発光体１３（１３r，１３g，１３b）を含む。発光体１３rは、赤色に対応した波長の単色光（赤色光）を出射する。同様に、発光体１３gは緑色光を出射し、発光体１３bは青色光を出射する。導光体１４は、光源１２からの入射光を液晶装置２０側の表面の全体から出射する。
【００１４】
図２の液晶シャッタ１６は、液晶装置２０と導光体１４との間隙（例えば導光体１４のうち液晶装置２０との対向面）に介挿される。液晶シャッタ１６は、相対向する基板間に液晶を封止して構成され、複数の領域ＡRと複数の領域ＡLとで液晶の透過率が個別に制御される。各領域ＡRと各領域ＡLとは、Ｙ方向に延在するとともにＸ方向に沿って交互に配列する。導光体１４からの出射光は、各領域ＡRまたは各領域ＡLを透過して液晶装置２０側に出射する。
【００１５】
光学体１８は、液晶装置２０と液晶シャッタ１６との間隙に介挿される。図２に示すように、光学体１８は、Ｙ方向に延在する複数のレンチキュラレンズ１８２をＸ方向に配列した光透過性の部材である。発光面（Ｘ-Ｙ平面）に垂直な方向からみると、ひとつのレンチキュラレンズ１８２は、液晶シャッタ１６においてＸ方向に相隣接する領域ＡRと領域ＡLとに重なり合う。図２に示すように、各レンチキュラレンズ１８２は、領域ＡRからの出射光を方向ＤRに進行させるとともに領域ＡLからの出射光を方向ＤLに進行させる。方向ＤRへの出射光は液晶装置２０を透過したうえで観察者の右目に到達する。方向ＤLへの出射光は液晶装置２０を透過したうえで観察者の左目に到達する。
【００１６】
図１に示すように、駆動装置５０には外部装置（図示略）から入力画像信号ＳINが供給される。入力画像信号ＳINは、相互に視差を有する右目用画像および左目用画像の各々について各画素の表示色を指定する信号である。入力画像信号ＳINは、画素の表示色を構成する３種類の原色成分（赤色，緑色および青色）の各々について個別に階調を指定する。すなわち、入力画像信号ＳINは、右目用画像について赤色成分（以下「Ｒ成分」という）の階調ＧR_rと緑色成分（以下「Ｇ成分」という）の階調ＧR_gと青色成分（以下「Ｂ成分」という）の階調ＧR_bとを画素ごとに指定するとともに、左目用画像についてＲ成分の階調ＧL_rとＧ成分の階調ＧL_gとＢ成分の階調ＧL_bとを画素ごとに指定する。
【００１７】
図１の駆動装置５０は、入力画像信号ＳINに基づいて照明装置１０および液晶装置２０を駆動する回路である。駆動装置５０は、照明装置１０を駆動する照明駆動回路５２と液晶装置２０を駆動する液晶駆動回路５４とを具備する。なお、駆動装置５０の実装の態様は任意である。例えば、照明駆動回路５２を照明装置１０に実装するとともに液晶駆動回路５４を液晶装置２０に実装した構成や、照明駆動回路５２と液晶駆動回路５４とを単一の集積回路に搭載した構成が採用される。
【００１８】
図３は、表示装置１００の動作を説明するためのタイミングチャートである。なお、図３における符号Ｒは右目用画像を意味し、Ｌは左目用画像を意味する。また、符号ｒはＲ成分を意味し、符号ｇはＧ成分を意味し、符号ｂはＢ成分を意味する。したがって、例えば図３の符号「Ｒ-r」は、右目用画像のＲ成分の単色画像を意味する。
【００１９】
図３の単位期間Ｆ（Ｆ1，Ｆ2，Ｆ3，……）は、観察者が立体視するひとつの画像の表示に利用される期間（フレーム）である。図３に示すように、ひとつの単位期間Ｆは、右目用画像を表示する期間ＦRと左目用画像を表示する期間ＦLとに区分される。期間ＦRおよび期間ＦLの各々は、別個の原色成分に対応した３個のサブフィールドＳF（ＳF1〜ＳF3）で構成される。各サブフィールドＳFは書込期間ＰWと表示期間ＰDとを含む。右目用画像を構成する各原色成分の単色画像が期間ＦRのサブフィールドＳF1〜ＳF3にて順次に表示され、左目用画像を構成する各原色成分の単色画像が期間ＦLのサブフィールドＳF1〜ＳF3にて順次に表示されるように、駆動装置５０は照明装置１０および液晶装置２０を駆動する。
【００２０】
液晶駆動回路５４は、左目用画像または右目用画像の各原色成分の単色画像を表示すべきサブフィールドＳFの書込期間ＰWにおいて、液晶装置２０の各画素電極２４の電位を、当該原色成分について入力画像信号ＳINが指定する階調に応じたデータ電位に設定する。例えば、期間ＦRのうちＲ成分の単色画像を表示すべきサブフィールドＳF（例えば単位期間Ｆ1における期間ＦRのサブフィールドＳF1）の書込期間ＰWにおいて、液晶駆動回路５４は、図３に示すように、右目用画像のＲ成分の階調ＧR_rに応じたデータ電位を各画素電極２４に供給する（Ｒ-r書込）。また、期間ＦRのうちＢ成分の単色画像を表示すべきサブフィールドＳF（例えば単位期間Ｆ1における期間ＦLのサブフィールドＳF3）の書込期間ＰWにおいて、液晶駆動回路５４は、左目用画像のＢ成分の階調ＧL_bに応じたデータ電位を各画素電極２４に供給する（Ｌ-b書込）。書込期間ＰWにて画素電極２４に設定されたデータ電位に応じて直後の表示期間ＰDにおける液晶の透過率が決定される。
【００２１】
図１に示すように、照明駆動回路５２は、光源１２を制御する光源駆動部５２２と液晶シャッタ１６を制御する方向切替部５２４とで構成される。光源駆動部５２２は、各サブフィールドＳFにて表示すべき単色画像の原色成分に対応した発光体１３を当該サブフィールドＳFの表示期間ＰDにて選択的に点灯させる。例えば、図３に示すように、右目用画像または左目用画像のＲ成分の単色画像を表示すべきサブフィールドＳFの表示期間ＰDにおいて、光源駆動部５２２は、発光体１３rを発光させるとともに発光体１３gおよび発光体１３bを消灯させる。同様に、光源駆動部５２２は、Ｇ成分を表示すべきサブフィールドＳFの表示期間ＰDにて発光体１３gのみを発光させ、Ｂ成分を表示すべきサブフィールドＳFの表示期間ＰDにて発光体１３bのみを発光させる。
【００２２】
図１の方向切替部５２４は、液晶シャッタ１６の透過率を各領域ＡRと各領域ＡLとで個別に制御することで照明装置１０からの出射光を方向ＤRおよび方向ＤLの何れかに設定する手段である。さらに詳述すると、方向切替部５２４は、図３に示すように、右目用画像の単色画像を表示すべき各サブフィールドＳF（期間ＦR）の表示期間ＰDにて各領域ＡRの透過率を増加（ON）させるとともに各領域ＡLの透過率を減少（OFF）させ、左目用画像の単色画像を表示すべき各サブフィールドＳF（期間ＦL）の表示期間ＰDにて各領域ＡLの透過率を増加させるとともに各領域ＡRの透過率を減少させる。
【００２３】
駆動装置５０は以上のように動作するから、右目用画像の各原色成分の単色画像を表示すべきサブフィールドＳFの表示期間ＰDにおいては、当該原色成分の単色光が各領域ＡRから方向ＤRに出射して液晶装置２０を透過し、左目用画像の各原色成分の単色画像を表示すべきサブフィールドＳFの表示期間ＰDにおいては、当該原色成分の単色光が各領域ＡLから方向ＤLに出射して液晶装置２０を透過する。観察者は、期間ＦR内のサブフィールドＳF1〜ＳF3にて右目用画像の各単色画像を順次に右目で視認することでカラーの右目用画像を知覚し、期間ＦL内のサブフィールドＳF1〜ＳF3にて左目用画像の各単色画像を順次に左目で視認することでカラーの左目用画像を知覚する。したがって、観察者は、立体感のあるカラーの画像を単位期間Ｆごとに知覚する。
【００２４】
図３に示すように、駆動装置５０は、期間ＦRおよび期間ＦLの各々にて表示される単色画像の原色成分の順番が、相前後する各単位期間Ｆにて相違するように、照明装置１０および液晶装置２０を駆動する。例えば図２に示すように、単位期間Ｆ1の期間ＦRおよび期間ＦLにおいては、Ｒ成分→Ｇ成分→Ｂ成分の順番で右目用画像および左目用画像の各単色画像が表示されるのに対し、単位期間Ｆ2ではＧ成分→Ｂ成分→Ｒ成分の順番で各単色画像が表示され、単位期間Ｆ3ではＢ成分→Ｒ成分→Ｇ成分の順番で各単色画像が表示される。単位期間Ｆ3に後続する各単位期間Ｆについては単位期間Ｆ1〜Ｆ3と同様の順番が反復される。
【００２５】
以上に説明したように本形態においては、各単色画像の表示色の順番（特に期間ＦRや期間ＦLの先頭の表示色）が単位期間Ｆごとに変化するから、各単色画像の表示色の順番が総ての単位期間Ｆにわたって固定された構成と比較して、観察者が知覚する色割れを低減することができる。
【００２６】
また、本形態においては右目用画像および左目用画像の各々が液晶装置２０の全画素を使用して時分割に表示されるから、液晶装置２０の前面側にパララックスバリアを設置する構成（右目用画像と左目用画像とが液晶装置２０に同時に表示される構成）と比較して、観察者が知覚する画像の解像度を高めることが可能である。さらに、面順次方式でカラー画像が表示されるから、液晶装置２０は複数の原色成分を同時に表示する必要がない。したがって、解像度の高い画像が表示されるという効果は格別に顕著となる。
【００２７】
＜Ｂ：第２実施形態＞
次に、本発明の第２実施形態について説明する。なお、以下に例示する各形態において作用や機能が第１実施形態と同等である要素については、以上と同じ符号を付して各々の詳細な説明を適宜に省略する。
【００２８】
第１実施形態においては、単位期間Ｆ内で連続する期間ＦRにて右目用画像の各単色画像を順次に表示するとともに単位期間Ｆ内で連続する期間ＦLにて左目用画像の各単色画像を順次に表示する構成を例示した。本形態においては、右目用画像の各単色画像と左目用画像の各単色画像とが単位期間Ｆ内の各サブフィールドＳFにて交互に表示される。
【００２９】
図４は、表示装置１００の動作を説明するためのタイミングチャートである。同図に示すように、各単位期間Ｆは６個のサブフィールドＳF1〜ＳF6に区分される。奇数番目のサブフィールドＳF（ＳF1，ＳF3，ＳF5）の各表示期間ＰDにおいては右目用画像の各原色成分の単色画像が順次に表示され、偶数番目のサブフィールドＳF（ＳF2，ＳF4，ＳF6）の各表示期間ＰDにおいては左目用画像の各原色成分の単色画像が順次に表示される。各単位期間Ｆ内では右目用画像および左目用画像の各々について３種類の原色成分の単色画像が表示される。
【００３０】
駆動装置５０は、サブフィールドＳF1〜ＳF6で表示される単色画像の原色成分の順番が、相前後する単位期間Ｆにて相違するように、照明装置１０および液晶装置２０を駆動する。すなわち、図４に示すように、右目用画像および左目用画像の各単色画像は、単位期間Ｆ1ではＲ成分→Ｇ成分→Ｂ成分→Ｒ成分→Ｇ成分→Ｂ成分の順番で表示され、単位期間Ｆ2ではＧ成分→Ｂ成分→Ｒ成分→Ｇ成分→Ｂ成分→Ｒ成分の順番で表示され、単位期間Ｆ3ではＢ成分→Ｒ成分→Ｇ成分→Ｂ成分→Ｒ成分→Ｇ成分の順番で表示される。したがって、本形態においても第１実施形態と同様の効果が奏される。
【００３１】
ところで、以上の各形態のように右目用画像および左目用画像の各単色画像が時分割で表示される構成においては、液晶装置２０からの出射光が観察者の右目および左目の各々に間欠的に到達する。すなわち、右目用画像の各単色画像の表示時には観察者の左目に画像が到達せず、左目用画像の各単色画像の表示時には観察者の右目に画像が到達しない。本形態のように右目用画像の単色画像と左目用画像の単色画像とがサブフィールドＳFごとに交互に表示される構成においては、期間ＦRにて右目用画像を構成する複数の単色画像が連続するとともに期間ＦLにて左目用画像を構成する複数の単色画像が連続する第１実施形態と比較して、液晶装置２０からの出射光が観察者の片目に到達する周期が短縮される。したがって、本形態によれば、液晶装置２０の周期的な明暗の変動（フリッカ）を観察者が知覚し難いという利点がある。
【００３２】
＜Ｃ：第３実施形態＞
次に、本発明の第３実施形態について説明する。第１実施形態および第２実施形態においては、右目用画像および左目用画像の各々について３種類の原色成分の単色画像を表示する構成を例示した。本形態においては、入力画像信号ＳINが指定する表示色から抽出した複数の色成分の単色画像が右目用画像および左目用画像について表示される。
【００３３】
図５は、表示装置１００の構成を示すブロック図である。同図に示すように、本形態の表示装置１００は、第１実施形態の各要素に加えて画像処理装置４０を具備する。画像処理装置４０は、入力画像信号ＳINから分離画像信号Ｓを生成して出力する。分離画像信号Ｓは、入力画像信号ＳINが指定する表示色を複数の色成分に分離したときの各成分の階調を右目用画像および左目用画像の各々の画素ごとに指定する信号である。本形態の分離画像信号Ｓは、第１実施形態と同様の３種類の原色成分の各々の階調に加えて、シアン（Ｃ）成分と黄色（Ｙ）成分とマゼンタ（Ｍ）成分と白色成分（Ｗ）成分とを右目用画像および左目用画像について指定する。
【００３４】
図６の部分(a)には、入力画像信号ＳINが右目用画像のひとつの画素について指定する各原色成分の階調（ＧR_r，ＧR_g，ＧR_b）の具体例が図示されている。画像処理装置４０は、入力画像信号ＳINがひとつの画素について指定する３種類の原色成分の階調（ＧR_r，ＧR_g，ＧR_b）の最小値Ｇminを白色成分の階調ＧR_wとして設定する。さらに、画像処理装置４０は、図６の部分(b)のように白色成分の抽出後に残存したＧ成分とＢ成分とを、両者の混色（Ｃ成分）とＢ成分とに分離して各々の階調（ＧR_c，ＧR_b）を分離画像信号Ｓにて指定する。なお、白色成分の抽出後にＲ成分とＧ成分とが残存する場合にはＹ成分の階調が分離画像信号Ｓにて指定され、Ｂ成分とＲ成分とが残存する場合にはＭ成分の階調が分離画像信号Ｓにて指定される。また、図６では右目用画像を例示したが、左目用画像についても同様に処理される。
【００３５】
図７は、右目用画像および左目用画像の各々について単色画像の表示色の順番を例示するタイミングチャートである。単位期間Ｆ内の期間ＦRおよび期間ＦLの各々は７個のサブフィールドＳF（ＳF1〜ＳF7）に区分される。なお、図７においては書込期間ＰWの図示が省略されている。
【００３６】
図７に示すように、駆動装置５０は、分離画像信号Ｓに基づいて照明装置１０および液晶装置２０を制御することで、右目用画像を構成する複数の色成分（白色成分と３種類の原色成分と３種類の混色成分）の単色画像を期間ＦRのサブフィールドＳF1〜ＳF7において順次に表示させる。同様に、期間ＦLのサブフィールドＳF1〜ＳF7においては左目用画像を構成する複数の色成分の単色画像が順次に表示される。
【００３７】
駆動装置５０は、各単色画像の表示色の順番を単位期間Ｆごとに変化させる。例えば、単位期間Ｆ1においては、右目用画像および左目用画像の各単色画像がＷ成分→Ｒ成分→Ｙ成分→Ｇ成分→Ｃ成分→Ｂ成分→Ｍ成分の順番で表示されるのに対し、単位期間Ｆ2においては、Ｒ成分→Ｙ成分→Ｇ成分→Ｃ成分→Ｂ成分→Ｍ成分→Ｗ成分の順番で各単色画像が表示される。したがって、本形態においても第１実施形態と同様の効果が奏される。
【００３８】
さらに、原色成分に加えて白色成分や混色成分の単色画像が順次に表示されるから、原色成分の単色画像のみが表示される第１実施形態の構成と比較して色割れを抑制することが可能である。なお、入力画像信号ＳINから抽出された混色成分や白色成分の単色画像を表示する本形態の構成を第２実施形態に採用してもよい。例えば、右目用画像の複数の色成分（白色成分と３種類の原色成分と３種類の混色成分）の単色画像と左目用画像の複数の色成分の単色画像とをサブフィールドＳFごとに交互に表示する構成が採用される。
【００３９】
＜Ｄ：変形例＞
以上の各形態には様々な変形を加えることができる。具体的な変形の態様を例示すれば以下の通りである。なお、以下の例示から２以上の態様を任意に選択して組合わせてもよい。
【００４０】
（１）変形例１  
以上の各形態においては光源１２からの出射光を方向ＤRおよび方向ＤLの何れかに選択的に進行させる構成を例示したが、右目用画像および左目用画像の各々を観察者の右目と左目とに個別に知覚させるための方法としては公知の技術を任意に採用することができる。例えば、右目を被覆する部分（以下「右目部分」という）と左目を被覆する部分（以下「左目部分」という）とで透過率が個別に制御される眼鏡型の器具を観察者に装着させる方法も採用される。すなわち、右目用画像が表示される期間では右目部分の透過率を上昇させるとともに左目部分を遮光し、左目用画像が表示される期間では左目部分の透過率を上昇させるとともに右目部分を遮光する。以上の構成によれば、液晶シャッタ１６や光学体１８が不要となるから、照明装置１０の構成を簡素化することが可能である。以上に例示したように、本発明の好適な態様に係る表示装置１００は、相互に視差を有する各画像を立体視可能に表示する装置であれば足り、立体視を実現するための具体的な構成の如何は本発明において不問である。
【００４１】
（２）変形例２  
以上の各形態においては照明装置１０からの出射光が方向ＤRと方向ＤLの２方向に選択的に出射する構成を例示したが、照明装置１０からの出射光が３方向以上に出射する構成も採用される。すなわち、以上の各形態に係る表示装置１００は、複数の視差を伴なう立体視画像の表示にも利用される。
【００４２】
（３）変形例３  
以上の各形態においては、単色画像の表示色の順番が単位期間Ｆごとに変化する構成を例示したが、単色画像の表示色の順番を複数の単位期間Ｆごとに変化させる構成も採用される。すなわち、本発明の好適な態様に係る表示装置１００においては、単色画像の表示色の順番がひとつの単位期間Ｆと別の単位期間Ｆとで相違していれば足り、相隣接する総ての単位期間Ｆにて表示色の順番が相違する必要はない。
【００４３】
＜Ｅ：応用例＞
次に、本発明に係る表示装置を利用した電子機器について説明する。図８ないし図１０には、以上に説明した何れかの形態に係る表示装置１００を採用した電子機器の形態が図示されている。
【００４４】
図８は、表示装置１００を採用したモバイル型のパーソナルコンピュータの構成を示す斜視図である。パーソナルコンピュータ２０００は、各種の画像を表示する表示装置１００と、電源スイッチ２００１やキーボード２００２が設置された本体部２０１０とを具備する。
【００４５】
図９は、表示装置１００を適用した携帯電話機の構成を示す斜視図である。携帯電話機３０００は、複数の操作ボタン３００１およびスクロールボタン３００２と、各種の画像を表示する表示装置１００とを備える。スクロールボタン３００２を操作することによって、表示装置１００に表示される画面がスクロールされる。
【００４６】
図１０は、表示装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する表示装置１００とを備える。電源スイッチ４００２を操作すると、住所録やスケジュール帳といった様々な情報が表示装置１００に表示される。
【００４７】
なお、本発明に係る表示装置が適用される電子機器としては、図８から図１０に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００４８】
【図１】本発明の第１実施形態に係る表示装置の構成を示すブロック図である。
【図２】表示装置の構造を示す平面図および側面図である。
【図３】表示装置の動作を示すタイミングチャートである。
【図４】本発明の第２実施形態に係る表示装置の動作を示すタイミングチャートである。
【図５】本発明の第３実施形態に係る表示装置の構成を示すブロック図である。
【図６】分離画像信号を生成する動作を説明するための概念図である。
【図７】表示装置が表示する単色画像の表示色を示すタイミングチャートである。
【図８】本発明に係る電子機器の形態（パーソナルコンピュータ）を示す斜視図である。
【図９】本発明に係る電子機器の形態（携帯電話機）を示す斜視図である。
【図１０】本発明に係る電子機器の形態（携帯情報端末）を示す斜視図である。
【符号の説明】
【００４９】
１００……表示装置、１０……照明装置、１２……光源、１４……導光体、１６……液晶シャッタ、１８……光学体、２０……液晶装置、２１……第１基板、２２……第２基板、２４……画素電極、４０……画像処理装置、５０……駆動装置、５２……照明駆動回路、５２２……光源駆動部、５２４……方向切替部、５４……液晶駆動回路、Ｆ（Ｆ1，Ｆ2，……）……単位期間、ＳF（ＳF1，ＳF2，……）……サブフィールド。
【図１】
2008268397.tif 000003
【図２】
2008268397.tif 000004
【図３】
2008268397.tif 000005
【図４】
2008268397.tif 000006
【図５】
2008268397.tif 000007
【図６】
2008268397.tif 000008
【図７】
2008268397.tif 000009
【図８】
2008268397.tif 000010
【図９】
2008268397.tif 000011
【図１０】
2008268397.tif 000012